(57)【要約】      （修正有）【課題】安全領域に位置する機械または設備へのアクセスポイントを保護するための拡張された安全機能アクセス保護システムを提供する。【解決手段】アクセス保護システムは、光送信器２２および光受信器２４を含むセンサ機器ならびに制御器を備える。光受信器２４が光送信器２２からの光パルスを受信したことに基づいてセンサ信号を生成し、制御器はセンサ信号を評価して安全領域に位置する機械または設備を制御する。さらに、基体４２およびその上に配置される遮断要素４４を含むインターロッキング装置４０を備え、インターロッキング装置４０は、固定要素４６を用いて、遮断要素４４を遮断位置５０に固定することができる。【選択図】図２
2020129364.tif 000002
【特許請求の範囲】
【請求項１】
安全領域（１２）に位置する機械または設備（１４）へのアクセスポイント（２０）を保護するためのアクセス保護システム（１０）であって、
当該アクセス保護システム（１０）は、センサ機器（１６）および制御器（１８）を含み、
前記センサ機器（１６）は、光送信器（２２）および光受信器（２４）を含み、前記光送信器（２２）は、光パルスを光受信器（２４）に発信するように構成され、
前記センサ機器（１６）は、前記光受信器（２４）が光パルスを受信したことに基づいてセンサ信号を生成するように構成され、
前記制御器（１８）は、センサ信号を評価して、センサ信号に基づいて安全領域（１２）に位置する機械または設備（１４）を制御するように構成され、
前記アクセス保護システム（１０）は、基体（４２）およびその上に配置される遮断要素（４４）を有するインターロッキング装置（４０）をさらに備え、
前記遮断要素（４４）は、開放位置（４８）から、光パルスの受信を阻止するために前記光送信器（２２）と前記光受信器（２４）との間の光パルスの光路（２８）に当該遮断要素（４４）が配置される遮断位置（５０）まで、前記基体（４２）に対して、相対的に移動可能であり、
前記インターロッキング装置（４０）は、固定要素（４６）によって、遮断位置（５０）に係止可能である、アクセス保護システム（１０）。
【請求項２】
前記遮断要素（４４）は、回転軸（５４）を中心にして回転方向（５２）に、開放位置（４８）から遮断位置（５０）まで、基体（４２）に対して相対的に機械的回動が可能である、請求項１に記載のアクセス保護システム（１０）。
【請求項３】
前記回転軸（５４）は、光パルスの光路（２８）に対して、平行または垂直に配置されている、請求項２に記載のアクセス保護システム（１０）。
【請求項４】
前記固定要素（４６）は、前記基体（４２）および前記遮断要素（４４）を、遮断位置（５０）の中で回転方向（５２）への回転が固定された態様で、互いに固定接続するように構成されている、請求項２または請求項３に記載のアクセス保護システム（１０）。
【請求項５】
前記回転軸（５４）の周りに前記遮断要素（４４）を手動で回動させるために、前記遮断要素（４４）に操作要素（１０４）が設置され、特に、前記操作要素（１０４）が前記回転軸（５４）に実質的に平行して延び、特に前記回転軸（５４）に沿って延びている、請求項２〜請求項４のいずれか１項に記載のアクセス保護システム（１０）。
【請求項６】
前記遮断要素（４４）が、前記回転軸（５４）に沿って配置されるばね要素を介して前記基体（４２）に連結され、
前記ばね要素は、前記開放位置（４８）および／または前記遮断位置（５０）で弾性力を付勢し、前記基体（４２）に対して前記遮断要素（４４）を押し込む、請求項２〜請求項５のいずれか１項に記載のアクセス保護システム（１０）。
【請求項７】
前記遮断要素（４４）が、前記開放位置（４８）および／または前記遮断位置（５０）で前記基体に係合可能である、請求項１〜請求項６のいずれか１項に記載のアクセス保護システム（１０）。
【請求項８】
第１の凹部（１１２）および第２の凹部（１２０）が、前記基体（４２）に設けられ、前記遮断要素（４４）は、第１の凹部（１１２）の配置によって前記開放位置（４８）に固定され、前記遮断要素は、第２の凹部（１２０）の配置によって前記遮断位置（５０）に固定される、請求項７に記載のアクセス保護システム（１０）。
【請求項９】
前記インターロッキング装置（４０）は、さらに固定要素（４６）のための受容部を備え、前記固定要素（４６）は、前記受容部に挿入されたときに前記遮断要素（４４）を遮断位置（５０）に保持し、特に、前記固定要素（４６）は施錠可能である、請求項１〜請求項８のいずれか１項に記載のアクセス保護システム（１０）。
【請求項１０】
前記固定要素（４６）のための受容部が、前記遮断要素（４４）の孔（１０６）として設計されている、請求項９に記載のアクセス保護システム（１０）。
【請求項１１】
前記基体（４２）は凹部（１０８）を備え、該凹部（１０８）は、前記遮断要素（４４）の遮断位置（５０）で、前記遮断要素（４４）に設けられている前記孔（１０６）に少なくとも部分的に合わせられる、請求項１０に記載のアクセス保護システム（１０）。
【請求項１２】
前記遮断要素（４４）は、施錠可能な前記固定要素（４６）の受容部として２つの孔を有し、前記基体（４２）に２つの凹部（１０８）を有し、
前記２つの凹部（１０８）は、前記遮断要素（４４）の遮断位置（５０）において前記遮断要素（４４）の各孔（１０６）に少なくとも部分的に合わせられ、
前記固定要素（４６）は、それぞれの受容部に挿入されたときに、前記遮断要素（４４）をその遮断位置に保持する、請求項１〜請求項１１のいずれか１項に記載のアクセス保護システム（１０）。
【請求項１３】
前記基体（４２）は、前記光送信器（２２）または前記光受信器（２４）に配置され、特に、前記基体（４２）は前記光送信器（２２）または前記光受信器（２４）に強固に接続可能である、請求項１〜請求項１２のいずれか１項に記載のアクセス保護システム（１０）。
【請求項１４】
前記センサ機器（１６）は、複数の光送信器（２２）および対応する光受信器（２４）を備え、
前記遮断要素（４４）は、前記光送信器（２２）と前記光受信器（２４）との間に光パルスの最低２本の光路（２８）の遮断位置（４８）に配置される、請求項１〜請求項１３のいずれか１項に記載のアクセス保護システム（１０）。
【請求項１５】
安全領域（１２）に位置する機械または設備（１４）のアクセスポイント（２０）を保護するためのセンサ機器であって、
光送信器（２２）と光受信器（２４）とを備え、
前記光送信器（２２）は光パルスを光受信器（２４）に発信し、前記センサ機器は前記光受信器（２４）による光パルスの受信に基づいてセンサ信号を生成するように構成され、それによって前記安全領域（１２）に設置された前記機械または設備（１４）が制御を受け、特にスイッチオフされ、
基体（４２）およびその上に配置される遮断要素（４４）を有するインターロッキング装置（４０）が、センサ機器上に配置され、
前記遮断要素（４４）は、開放位置（４８）から遮断位置（５０）に、前記基体（４２）に対して移動可能であり、
前記遮断要素（４４）は、光パルスの受信を阻止するために、光送信器（２２）と光受信器（２４）との間の光パルスの光路（２８）に配置され、
前記インターロッキング装置（４０）は、固定要素（４６）によって前記遮断位置（５０）に係止可能である、センサ機器。
【請求項１６】
光パルスを送受信してセンサ信号を生成できる光送信器（２２）と光受信器（２４）とを用いて安全領域（１２）に配置された機械または設備（１４）へのアクセスポイント（２０）を監視するセンサ機器のためのインターロッキング装置（４０）であって、
基体（４２）とその上に配置される遮断要素（４４）とを備え、
前記遮断要素（４４）は、前記開放位置（４８）から前記遮断位置（５０）に、前記基体（４２）に対して相対的に移動可能であり、
前記遮断要素（４４）は、光送信器（２２）と光受信器（２４）との間の光パルスの光路（２８）に配置されて、それらの光パルスのやりとりを防止し、
前記インターロッキング装置（４０）は、前記遮断位置（５０）において、固定要素（４６）によって係止可能である、インターロッキング装置（４０）。
【請求項１７】
安全領域（１２）に位置する機械または設備（１４）へのアクセスポイント（２０）を保護する方法（６０）であって、
光送信器（２２）と光受信器（２４）とを有するセンサ機器（１６）を提供するステップと、
前記光送信器（２２）から前記光受信器（２４）まで光パルスを伝送するステップ（６４）と、
前記光受信器（２４）による光パルスの受信に基づき、前記センサ機器（１６）によってセンサ信号を生成するステップ（６６）と、
制御器（１８）によって、センサ信号を評価するステップ（６８）と、
前記センサ信号に基づいて、前記制御器（１８）によって、前記安全領域（１２）に位置する機械または設備（１４）を制御するステップと、
基体（４２）およびその上に配置される遮断要素（４４）を含むインターロッキング装置（４０）を提供するステップ（７２）と、
前記遮断要素（４４）が光送信器（２２）と光受信器（２４）との間の光パルスの光路（２８）の外に配置される開放位置（４８）に、前記遮断要素（４４）を配置するステップ（７４）と、
前記遮断要素を、開放位置から、当該遮断要素が光パルスの受信を阻止するために光送信器と光受信器との間の光パルスの光路にある遮断位置まで移動させるステップと、
固定要素（４６）によって、前記インターロッキング装置（４０）を遮断位置（５０）に固定するステップ（７８）とを備える、方法。
【発明の詳細な説明】
【技術分野】
【０００１】
本発明は、安全領域に位置する機械または設備へのアクセスポイントを保護するシステムおよび方法に関する。
【背景技術】
【０００２】
アクセス保護システムは、センサ機器を有し、制御器を有する。センサ機器は光送信器と光受信器とを含む。光送信器は、光受信器に光パルスを送り、センサ機器は、光受信器による光パルスの受信に基づいてセンサ信号を生成するように構成される。制御器は、センサ信号を評価して、センサ信号に基づいて安全領域に位置する機械または設備を制御するように構成される。
【０００３】
上述したこの種のアクセス保護システムおよび方法は一般に公知である。
【０００４】
例えば、特許文献１は、互いに離れて配置された光送信器および光受信器を備える、危険な領域を保護するための光電式保護装置を開示する。
【０００５】
一般に公知なように、光カーテンが、危険な領域または安全領域へのアクセスを保護するために用いられている。
【０００６】
特にそれらは、危険な領域へのアクセスポイントにおける非分離の(non-separating)保護装置として使用される。人または物体が光カーテンの検知範囲において検知されるか、または人または物体が保護領域を中断した場合、光カーテンから、例えば光カーテン上のＯＳＳＤ出力のスイッチを切ることによって、「信号が送られる」。
【０００７】
例えば保護領域から走り出て危険な領域へ入った場合のように、保護領域を去った後に、システムは、安全な状態（ＯＦＦ）のままでなければならない。これは、光カーテンの、または、安全制御器の中のソフトウェア・インターロックで実現することができる。リセット信号または再起動信号が明示的に用意された場合のみ、そこからの再起動が可能となる。
【０００８】
リセット信号を出力するための再起動ボタンは、危険な領域が視認でき、そして、システムが問題なく再開できることを操作者が確認できるような方法で、配置されることが重要である。
【０００９】
実際には、無許可の場合でもシステムを再開するために再起動ボタンが押されることができるということが問題である。
【００１０】
特にこの問題は、システムの保守、修復、検証または調整時に、システムが特別動作モードになっている場合に存在する。
【００１１】
例えば、特別動作モードで、第１の人がまだ危険な領域に居て、それがシステムの一部によって隠されていて、そして外側から視認できないときに、第２の人が再起動ボタンを押すことができる。例えば、第１の人が、修理または保守目的のため、地面にまたは機械の内部に居るときである。
【００１２】
第１の人は危険な領域にもはやいないが、他の人がユーザを捜すために危険な領域に入った場合に、システムの再起動が、第三者によって、または、前記第１の人によって行われることもあり得る。
【００１３】
関連技術において、上記の問題の解決法として、危険な領域の人を検知するための付加装置を提供することが公知である。例えば、離れた電気感受性保護器材を用いることが可能である。これらは、特に光グリッドを平らにもしくは水平に配置して、危険な領域のスキャナ、追加して置かれた安全マットまたは安全なカメラシステムを含む。
【先行技術文献】
【特許文献】
【００１４】
【特許文献１】独国特許出願公開第10 2012 111 433 A1号明細書
【発明の概要】
【発明が解決しようとする課題】
【００１５】
以上の背景技術に対して、拡張された安全機能および操作のさらなる保護を伴うアクセス保護システムおよび方法を提供することが本発明の目的である。
【００１６】
特に、高レベルの安全を確実に維持するとともに、より少ないプログラミングおよび配線の手間で済み、製造およびアプリケーションの費用が安価で済みかつ環境に優しく、簡単な集積化および処理を許容する、アクセス保護システムおよびさらに改良された方法を提供することが本発明の目的である。
【課題を解決するための手段】
【００１７】
本発明の第１の態様によれば、アクセス保護システムは、基体およびそこに設置された遮断要素を含むインターロッキング装置をさらに備えることにより、さらに優れたものとなる。当該遮断要素は、開放位置から、光パルスの受信を阻止するために送信器と受信器との間の光パルスの光路に配置される遮断位置まで、基体に対して相対的に移動可能である。インターロッキング装置は、固定要素(securing element)によって、遮断位置に係止されることが可能である。
【００１８】
第２の態様によれば、安全領域に位置する機械または設備へのアクセスポイントを保護するためのセンサ機器が提案される。当該センサ機器は、光送信器および光受信器を備え、光送信器は光パルスを光受信器に発信するように構成され、センサ機器は光受信器による光パルスの受信に基づいてセンサ信号を生成するように構成される。それに基づいて、安全領域に位置する機械または設備が制御され、特にスイッチが開かれるように制御される。
【００１９】
基体およびその上に配置される遮断要素を有しているインターロッキング装置がセンサ機器上に配置され、遮断要素は開放位置から、光ビームの受信を阻止するために送信器と受信器との間の光パルスの光路に配置される遮断位置まで、基体に対して移動可能である。そしてインターロッキング装置は、固定要素によって、遮断位置に係止されることが可能である。
【００２０】
本発明の第３の態様によれば、光パルスを交換することにより相互に作用してしてセンサ信号を生成できる光送信器と光受信器との組を用いて、安全領域に配置された機械または設備へのアクセスポイントを監視するセンサ機器のためのインターロッキング装置が提案される。
【００２１】
インターロッキング装置は、基体を有し、その上に配置される遮断要素を有する。遮断要素は開放位置から、送信器と受信器との間の光パルスの光路に配置されて、それらのインタラクションを阻止する遮断位置まで、基体に対して移動することが可能である。そして遮断要素は、固定要素によって、遮断位置においてロックされることが可能である。
【００２２】
本発明の第４の態様によれば、安全領域に配置された機械または設備へのアクセスポイントを保護するための方法が提案される。当該方法は次の工程（ａ）〜（ｉ）を含む。
【００２３】
（ａ）光送信器および光受信器を含むセンサ機器を用意すること、（ｂ）光送信器から光受信器まで光パルスを伝送すること、（ｃ）受信器による光パルスの受信に基づいてセンサ機器によってセンサ信号を生成すること、（ｄ）制御器によってセンサ信号を評価すること、（ｅ）センサ信号を考慮し、制御器によって安全領域に位置する機械または設備を制御すること、（ｆ）基体およびその上に配置された遮断要素を有するインターロッキング装置を用意すること、（ｇ）送信器と受信器との間の光パルスの光路外である開放位置に前記遮断要素を配置すること、（ｈ）遮断要素を、開放位置から、遮断要素が光パルスの受信を阻止するために送信器と受信器との間の光パルスの光路にある遮断位置まで移動させること、ならびに（ｉ）固定要素により、インターロッキング装置を係止位置にロックすること。
【００２４】
「安全領域」とは、この明細書では、設備または機械を囲んでいる領域であってセンサ機器により保護される領域として理解される。安全領域とは、機械または設備がその自動運転のために危険な領域の中にいる人に危険を及ぼすので、機械または設備の運転中に人が立ち入ることが許されない危険な領域のことである。
【００２５】
安全領域は、例えば、アクセスポイントを通してのみ入ることができる、基本的に囲まれた領域として理解できる。センサ機器は、アクセス制御の目的でこのアクセスポイントに配置されてもよい。安全領域は、２つまたはそれ以上のアクセスポイントを有することもでき、この場合各アクセスポイントは別々に保護される。例えば、センサ機器は、各アクセスポイントごとに提供されてもよい。
【００２６】
受信器で光パルスを受信することによって、センサ機器は、人または物体が安全領域のアクセスポイントにいるかどうか、あるいはアクセスポイントを通過したかどうかを、検知できる。もし人または物体がアクセスポイントにいる場合、光パルスの受信は阻止される（すなわち光パルスが受信器に届かない）。これによってセンサ機器は、人か物体がアクセスポイントにおいているかどうか決定することができる。
【００２７】
生成された光パルスは、送信器から受信器まで光路に沿って進行する。換言すれば 光パルスは、光路に沿って光ビームを形成する。センサ機器はまた、時間をずらして、すなわち繰り返しながら、複数の光パルスを順次送るように構成されてもよい。
【００２８】
センサ機器は、光パルスの受信に基づいて、センサ信号を生成する。センサ信号は、例えば、受信器が送信された光パルスを受信したかどうかに関する情報を含むことができる。センサ信号はまた、人または物体がアクセスポイントにおいて検知されたかどうかに関する情報を含むこともできる。
【００２９】
本発明は、特に機械または設備が「特別のモード」である場合に、安全領域を保護することができる追加のインターロッキング装置を提供するというアイデアに基づく。特に、機械または設備が特別のモードにある全ての期間の間、インターロッキング装置が安全領域を保護するように定めることができる。インターロッキング装置は、この目的のために遮断要素を備えている。当該遮断要素は、光パルスの受信を阻止するために、送受信器の間の光パルスの光路に配置されることができる。これにより、例えば特別のモードの間、機械または設備の無許可のまたは独立した始動を防止できる。
【００３０】
遮断要素は、開放位置から、機械または設備を保護するべき遮断位置まで移動可能である。開放位置において、遮断要素は光パルスの光路の外に位置する。遮断位置において、遮断要素は光パルスの光路の中に位置する。
【００３１】
用語「移動可能」とは、基体に対して、遮断要素の位置または方向を変えることができることを意味する。例えば、遮断要素は、基体に対して回転することができ、および／または移動できる。特に、遮断要素が旋回中心の周りに回転するか、またはレールに沿って移動するように設定することができる。例えば、基体は旋回中心を定義することができ、および／または、レールは基体の上に形成されることができる。
【００３２】
加えて、インターロッキング装置は、固定要素によって、遮断位置において係止可能である。
【００３３】
用語「係止可能」(lockable)とは、遮断要素が遮断位置から移動するのを防止するために設けられているを意味するとして理解される。
【００３４】
用語「係止可能」は特に、それが係止(block)されることを意味する。例えば、南京錠を、ロッキングの手段として設けることができる。南京錠は、遮断要素をその遮断位置に係止するかまたは固定する。
【００３５】
固定要素によってインターロッキング装置を係止することによって、固定要素により提供される係止を解除しない限り、遮断要素は遮断位置から開放位置まで移動することができない。換言すれば、ユーザは、機械または設備の再起動を有効にするために意識的な動作を実行しなければならない。例えば、ユーザが特別のモードの間、安全領域にいる限り、第三者が機械または設備を意図せずに再開できることを防止できる。機械設計により、係止装置を操作することを困難にする。
【００３６】
この発明の構成によって、従来技術で提案された保護装置に対して、費用対効果の良い単純な代替構造が提供される。またインターロッキング装置が単に機械的に作動するだけであるので、操作を保護し高度の安全性を確保するとともに、追加的なプログラミングまたは配線は必要とされない。
【００３７】
インターロッキング装置は、その製造および使用において、環境に優しい。さらにまた、インターロッキング装置は、特に既存のシステムに一体化するのが容易で、取扱いが容易である。
【００３８】
上に述べた本発明の目的は、このように完全にして解決される。
【００３９】
本発明の第１の改良において、遮断要素を開放位置から回転軸を中心として回転させた遮断位置まで、基体に対して機械的に回転可能なように設定してもよい。
【００４０】
原理的に、遮断要素が開放位置から遮断位置まで、回動の代わりに直線的な変位によって移動することも考えられる。
【００４１】
遮断要素は、自動的な、例えば電動機による押釦により、あるいは手動による機械的な押釦により、移動および回動することができる。手による機械的な回動は、単純なかつ費用対効果に優れたソリューションである。遮断要素は、開放位置からその遮断位置まで、またはその逆の遮断位置から開放位置まで移動するために９０度回転することが好ましい。
【００４２】
したがって、遮断要素の遮断位置における長手方向は、開放位置の長手方向から、好ましくは約９０度の角度となる。
【００４３】
本発明のさらなる改良において、回転軸は、光パルスの光路と直角、あるいは平行であるように配置されてもよい。
【００４４】
回転軸が光パルスの光路と平行である場合、遮断要素は光パルスの光路に入るため回転軸の周りに回転する。回転軸は基体から離れて延びていることが好ましい。
【００４５】
もし、回転軸が光パルスの光路と直角に配置される場合、遮断要素は光パルスの光路に入るために、回転軸の周りに傾斜していることが好ましい。
【００４６】
回転軸は望ましくは基体に対して平行に、または、それに沿って配置されている。回転軸の配置は、利用できる設置スペース上の特定の仕様に従う。その理由は、開放位置の遮断要素は回転軸の配置に応じて基体から異なった各方向へ延びるからである。
【００４７】
本発明のさらなる改良において、固定要素が、基体と遮断位置の遮断要素とを、回転方向に固定された形で連結することが可能である。
【００４８】
これは、遮断要素が基体に対して、遮断位置から離れて移動すること防止する。
【００４９】
本発明のさらなる改良において、手によって、回転軸に沿って遮断要素を回転させるために、遮断要素に操作要素が設けられていてもよい。特に、操作要素が回転軸に実質的に平行に延びることが好ましく、回転軸に沿って延びていることが特に好ましい。
【００５０】
この操作要素の助けを借りて、遮断要素を、比較的容易に回転させることができる。
【００５１】
この操作要素は、簡単で快適な操作のために、人間工学的に形づくられることもできる。
【００５２】
ロックレバーの水平回転軸(swivel axis)に沿って操作要素を接続することによって、回動または回転のために必要とされる力は、非常に容易に遮断要素へ移される。
【００５３】
遮断要素そのものは好ましくはプレート形である。その結果、遮断位置で、それは送信器と受信器との間に光パルスの光路において、できるだけ大きな面積を配置されることができる。
【００５４】
本発明のさらなる改良において、遮断要素が回転軸に沿って配置されるばね要素を介して基体に連結されていてもよい。そして、開放位置および／または遮断位置で、それは遮断要素を基体に対して押圧する弾性力を提供する。
【００５５】
例えば、機械式圧縮スプリングが、ばね要素として用いられることが可能である。原理的には、空気ばねもしくは油圧ばね要素も考えられる。
【００５６】
遮断要素上のばね要素によって弾性力を与える主要な目的は、その開放位置からのおよび／またはその遮断位置からの、遮断要素の意図的でない動きを妨げることである。それは遮断要素を、インターロッキング装置の筐体に対して押圧する。遮断要素を遮断位置から開放位置までまたはその逆の開放位置から遮断位置まで回転させるために、操作者は、弾性力に逆らって、遮断要素を最初わずかに持ち上げなければならない。従って、ばね要素によって働く弾性力は、あまり大きくてはいけない。
【００５７】
本発明のさらなる改良において、遮断要素は、開放位置でおよび／または遮断位置で基体に係止可能であってもよい。
【００５８】
好ましくは、遮断要素は、開放位置と遮断位置の両方で、基体に係止可能である。上述のばね要素に加えて、この種の遮断要素のラッチングは、遮断位置または開放位置からの意図的でない回動に対して遮断要素の保護を提供する。開放位置および遮断位置における遮断要素の位置も、正確に定められる。これは操作者のための処理を簡単化する。
【００５９】
本発明のさらなる改良において、第１の凹部および第２の凹部が基体に設けられていてもよい。遮断要素は、第１の凹部の配置によって開放位置に固定され、第２の凹部の配置によって遮断位置に固定される。
【００６０】
これらの凹部は、機械的に単純な、しかし安定した遮断要素のロッキングを許容する。特に、すでに前述したばね要素と組み合わせて、遮断要素は、遮断位置または開放位置に達したときに、弾性力のため自動的にそれぞれの凹部に嵌まる。
【００６１】
勘合を分離することは、弾性力に逆らって遮断要素を持ち上げることによって可能である。基体に設けられている２つの凹部は、望ましくは各々直交方向に配列される。
【００６２】
本発明のさらなる改良において、インターロッキング装置は、固定要素のための受容部をさらに備えていてもよい。固定要素は、受容部に受け入れられた状態で、遮断要素をその遮断位置に保持する。特に、固定要素はロック可能であることが望ましい。
【００６３】
これによって、遮断要素がその遮断位置に容易にロックされることが可能である。
【００６４】
好ましくは、固定要素は、南京錠(padlock)として設計される。遮断要素を遮断位置に固定するために、南京錠のシャックルは、遮断要素の受容部を通過できる。
【００６５】
本発明のさらなる実施例において、係止可能な固定要素の受容部が遮断要素の孔として設計されてもよい。
【００６６】
ロック可能な固定要素として使用する南京錠は、このように遮断要素に設けられている孔に、直接嵌入されることができる。孔は、遮断要素が遮断位置にあるときにのみ、アクセス可能なことが好ましい。従って南京錠は、遮断要素が遮断位置にあるときにのみ、インターロッキング装置に接続されることができる。
【００６７】
なお、南京錠が孔に嵌入されたときに、遮断要素が遮断位置から開放位置まで移動または回動することができないように、孔の位置は選択されなければならない。レバーを揺動させる試みが実行されたときに、南京錠がインターロッキング装置の基体と衝突することによって、これは防止される。このために、上述した孔は、板形の遮断要素の一方の端に位置することが好ましい。
【００６８】
本発明のさらなる改良において、遮断要素の遮断位置において、遮断要素に設けられた孔に少なくとも部分的に整列した基体に、凹部が設けられていてもよい。
【００６９】
この凹部は、孔(hole)であってもよく、または基体に形成された一種の刻み目(notch)であってもよい。この凹部が遮断要素の遮断位置に設けられている孔に軸が合っている(aligned)場合、南京錠が孔に嵌入されるときに、基体の凹部と同様に、南京錠のシャックルと遮断要素の孔との間で一種の形の一致(form fit)が形成される。遮断要素のロック位置において、従って、南京錠は、遮断要素の孔に挿入されるだけでなく、基体の凹部にも嵌入される。もし孔および凹部が遮断位置で正確に互いの上にある場合、南京錠またはインターロッキング装置を破壊せずに、南京錠が挿入された遮断要素を回転させることがもはやできない。インターロッキング装置により提供される本追加の安全装置は、意図せずに操作されることができない。
【００７０】
本発明のさらなる改良において、遮断要素に２つの孔が、各場合の固定要素用の受容部として設けられ、２つの凹部が基体に設けられていてもよい。それらは、遮断要素の遮断位置では、遮断要素に設けられている孔に少なくとも部分的に合わせられる。固定要素は、それぞれの受容部に嵌入されるときに、その遮断位置に遮断要素を保持する。
【００７１】
この改良によれば、ロックレバーは、いわば、各々１つの南京錠のための２つのスロットを有する。機械または設備の数人の操作者がいる場合、この種の改良は特に有利である。
【００７２】
人が安全領域に入るときに、第１の操作者は第１の南京錠でアクセス保護システムを固定する。それから２人目が安全領域に入る場合、この人も遮断要素の第２の孔に第２の南京錠を嵌入するかまたは掛けることによって、遮断要素を遮断位置に固定することができる。それから第１の操作者が安全領域を離れる場合、第２の南京錠を見て、他の人が安全領域にあると直ちに認める。
【００７３】
従って２人の操作者が遮断要素から両方の南京錠を解除する場合にのみ、遮断要素をその開放位置の方へ動かすことができる。
【００７４】
これは、２人の操作者がいる場合であっても、彼らのいずれもが、機械または設備が運転に戻された安全領域に居ないことを、確実にする。
【００７５】
言うまでもなく、操作者の数に応じて、インターロッキング装置に南京錠用の２つ以上の孔または受容部を設けることができる。
【００７６】
本発明のさらなる実施例において、基体が、送信器上または受信器上に配置されていてもよく、特に、基体が送信器または受信器にしっかりと固定されていることが好ましい。
【００７７】
換言すれば、基体は送信器または受信器の側に配置される。送信器または受信器との強固な接続のため、遮断要素は、特に送信器または受信器に関連して、すなわち光パルスの光路に関連して移動可能である。好ましくは、送信器および／または受信器は、アクセスポイントの対向側に位置している。アクセスポイントの両側に柱があり、送信器および受信器は、各柱に配置されることが可能である。
【００７８】
インターロッキング装置の基体は、直接、または、結合要素を介して、各1本の柱に結合されてもよい。
【００７９】
本発明のさらなる改良において、センサ機器が複数の光送信器および対応する光受信器を含むものであってもよい。その遮断位置にある遮断要素は、送信器と受信器との間の、光パルスの少なくとも２本の光路に配列されていてもよい。
【００８０】
多数の送信器および受信器が、安全領域に入ることに対してアクセスポイントの安全性を改善するために提供される。
【００８１】
２本の光路を遮断することは、誤りが生じた場合に冗長な安全が保たれるという効果がある。例えば、遮断要素が対応する光路をブロックしている場合であっても、ブロックされた受信器が光信号を誤って検知することがある。さらにまた、ブロックされた受信器が、その欠陥のためまたは過った操作のため、制御器に間違った信号を送ることもある。
【００８２】
前述の特徴および以下で説明される内容は、各場合において示される組合せだけで使用されるものではなく、他の組合せでも、または、本発明の範囲を離れない限り、単独の状況で適用が可能なものと理解される。
【００８３】
本発明の実施例は、図面に示され、以下に、さらに詳細に説明される。
【図面の簡単な説明】
【００８４】
【図１】アクセス保護システムの第1の実施形態を示す概略図である。
【図２】図1のアクセス保護システムの詳細ブロック図である。
【図３】安全領域にある機械または設備を保護する方法の実施形態の第１部分を示す概略フローチャートである。
【図４】図３の方法の第２部分を示す概略フローチャートである。
【図５】開放位置にあるアクセス保護システムの第2の実施形態を示す斜視図である。
【図６】ブロック位置にある図５のアクセス保護システムを示す斜視図である。
【図７】図５のアクセス保護システムの第１側面図である。
【図８】図５のアクセス保護システムの第２側面図である。
【図９】図５のアクセス保護システムの正面図である。
【図１０】図５のアクセス保護システムの上面図である。
【図１１】図５のアクセス保護システムの背面図である。
【図１２】図６のアクセス保護システムの第１側面図である。
【図１３】図６のアクセス保護システムの第２側面図である。
【図１４】図６のアクセス保護システムの正面図である。
【図１５】図６のアクセス保護システムの上面図である。
【図１６】図6のアクセス保護システムの背面図である。
【図１７】アクセス保護システムの第3の実施形態を示す斜視図である。
【発明を実施するための形態】
【００８５】
図１および図２に、アクセス保護システム１０の第１実施例を示す。
【００８６】
図１はアクセス保護システム１０の基本設計を示す。図２はアクセス保護システム１０の詳細図を示す。図２において、アクセス保護システム１０のさらなる安全のための相互ロッキング機構が示される。
【００８７】
アクセス保護システム１０は、安全領域１２に置かれた機械または設備１４を保護するために設計されている。安全領域１２に対するアクセスポイント２０は、アクセス保護システム１０によって監視される。人が安全領域１２に入った場合、アクセス保護システム１０によって検知され、安全領域１２に置かれた機械または設備１４は、人にとって安全である状態へと変化させられる。
【００８８】
例えば、特に電源を中断することによって、機械または設備１４は非駆動になることが可能である。
【００８９】
アクセス保護システム１０は、センサ機器１６を備えている。センサ機器１６は、安全領域１２へのアクセスポイント２０に位置する。センサ機器１６は、光送信器２２と光受信器２４とを有する。光送信器２２および光受信器２４は、互いの距離２６だけ離れて配置されている。送信器２２および受信器２４は望ましくはアクセスポイント２０の対向側に位置している。
【００９０】
光送信器２２は光パルスを発生させて、光路２８に沿って光受信器２４にそれを送る。換言すれば、光パルスは光路２８に沿った光ビームを形成する。
【００９１】
センサ機器１６は、受信器２４からの光パルスの受信に基づいてセンサ信号を生成するように構成される。センサ信号は、このように、光パルスが受信器２４に達したかどうかの情報を含む。好ましくは、光送信器２２は、時間間隔で光パルスを発生させ、光路２８に沿って光受信器２４にそれらを送る。
【００９２】
センサ機器１６は通常、複数の光送信器２２および対応する光受信器２４を備えている。
【００９３】
複数の送信器２２および複数の受信器２４は、それぞれ柱(bar)に配置されていてもよい。２本の柱は、アクセスポイント２０の対向側に配置されることができる。
【００９４】
各送信器２２は光路２８に沿って対応する受信器２４に光パルスを送る。換言すれば、光パルスは、それぞれの送信器２２と受信器２４との間に光ビームを形成する。
【００９５】
個々の光ビームは、送信器２２と受信器２４との間にいわゆる光グリッドを張る。光グリッドは、安全領域に入っている人が少なくとも１本の光ビーム、すなわち送信器２２と対応する受信器２４との間の見通し線を、安全領域に入っている時間、中断するように、安全領域１２へのアクセスポイントに配置される。
【００９６】
センサ機器１６は、送受信器対ごとに別々のセンサ信号を生成できる。
【００９７】
あるいはセンサ機器１６は、多数の受信器を含む受信器２４が、対応する光パルスを受信しなかったかどうかの情報を含むセンサ信号を生成できる。
【００９８】
アクセス保護システム１０は、制御器１８を備えている。
【００９９】
制御器１８は、回線３０を経て光送信器２２に、そして、回線３２を経て光受信器２４に接続している。複数の送信器２２および受信器２４がある場合、回線３０、３２は各送信器２２および受信器２４のために用意される。あるいは、回線３０は、すべての送信器２２のために、および回線３２はすべての受信器のために用意されてもよい。
【０１００】
制御器１８は、センサ信号を評価して、センサ信号に基づいて安全領域１２に位置する機械または設備１４を制御するように構成される。例えば制御器１８は、光パルスが妨げられた場合、システムまたは機械１４を停止できる。あるいは、制御器１８は、機械または設備１４を安全な状態に変えることができる。
【０１０１】
例えば、機械または設備１４を停止するために、制御器１８は、機械または設備１４への電源３６を中断できる。このために、制御器１８は、電源３６と機械または設備１４との間の配電回路に配置された接触器３４に接続されている。光ビームが中断された場合、制御器１８は、接触器３４を用いて、機械または設備１４の電源３６を中断する。このようにして、機械または設備１４を静止させる。
【０１０２】
この実施形態では、接触器３４の制御は、現在の保安基準に従って冗長に設計されている。
【０１０３】
制御器１８は、光送信器２２を制御する。例えば、制御器１８がテスト信号を生成して、光送信器２２にそれを送る、という設定をしてもよい。送信器２２はそれぞれのパルス光ビームを使用して受信器２４に試験信号を送る。試験信号は、例えば、各受信器２４に対するパルス光ビーム上へ変調されて送られる。受信器２４はテスト信号を受信して、それを制御器１８に送り返す。制御器１８は、受信したテスト信号をもとのテスト信号と比較する。
【０１０４】
人が安全領域に入ると、パルス光ビームは短時間遮断され、テスト信号が受信器２４に到達しないか、もしくは完全にそこに到達しない。もし不完全な信号が受信器２４に入った場合、制御器１８は出て行った信号と入力された信号とを比較することによりこれを検知し、接触器３４を用いて機械または設備１４の電源３６を切る。
【０１０５】
あるいは、テスト信号の生成および評価は、センサ機器で実行されることもできる。センサ信号は送受信一対の光ビームが中断されたかどうかの情報のみを含む。
【０１０６】
アクセス保護システム１０は、図２に示すようにインターロッキング装置４０を備えている。
【０１０７】
インターロッキング装置４０は、安全領域１２のアクセスポイント２０に、または、その中に配置される追加的な機構部品である。インターロッキング装置４０は、アクセス保護システム１０のさらなる安全のための追加的な相互ロッキング機構を形成する。例えば、相互ロッキング機構は、機械または設備１４の「特別動作モード」中の安全領域１２を保護するために用いることができる。
【０１０８】
図２は、インターロッキング装置４０の２つの実施例（Ａ）、（Ｂ）を示す。実施例（Ａ）および（Ｂ）は基本的に同じ部品で構成され、基本的にロック機構の移動においてのみ異なる。
【０１０９】
両実施例のインターロッキング装置４０は、基体４２および遮断要素４４を有する。遮断要素４４は、特に移動可能で、基体４２上に配置される。基体４２は、安全領域１２へのアクセスポイント２０に位置する。特に、基体４２は、送信器２２と受信器２４との間の光パルスの光路２８の外に位置する。基体４２は、送信器２２上もしくは受信器２４上に、または送信側もしくは受信側に、配置されることができる。
【０１１０】
特に、基体４２は、送信器２２または受信器２４に強固に接続されていてもよい。あるいは、基体４２の、送信器２２および／または受信器２４に対する相対位置を決定(fix)しても良い。
【０１１１】
遮断要素４４は、開放位置(release position)４８と遮断位置(blocking position)５０との間で、基体４２に対して相対的に移動可能である。
【０１１２】
特に、遮断要素４４は、開放位置４８から遮断位置５０まで、または、遮断位置５０から開放位置４８まで、基体４２に対して相対的に移動可能である。
【０１１３】
開放位置４８において、遮断要素４４は、送信器２２と受信器２４との間の光パルスの光路２８の外に位置する。遮断位置５０において、遮断要素４４は、送信器２２と受信器２４との間の光パルスの光路２８中にある。このようにして、遮断位置５０の遮断要素４４は、送信器２２と受信器２４との間で光パルスの伝送を妨げる。換言すれば、遮断位置５０の遮断要素４４は、光パルスの受信を阻止する。
【０１１４】
複数の送信器２２およびそれらに対応する受信器２４がある場合、遮断要素４４は、遮断位置５０において、それが光パルスの少なくとも２本の光路２８において、送信器と受信器との間に配置されるというような状態で設定できる。
【０１１５】
さらにまた、ロック位置５０においてインターロッキング装置４０を係止（ロッキング）できる固定要素４６が設けられていてもよい。
【０１１６】
遮断要素４４が遮断位置５０においてブロックされると、遮断要素４４は基体４２の方へ相対的に移動することができない。ロッキングを解止することによってのみ、遮断要素４４は、再び基体４２の方へ相対的に移動できる。
【０１１７】
固定要素４６は、例えば、ロック可能な固定要素４６として、特に南京錠(padlock)として設計されることができる。
【０１１８】
遮断要素４４は、例えば、直線運動によって、特にスラスト方向(thrust direction)にシフトすることによって開放位置と遮断位置との間で移動可能である。または回転運動によって、特に回転軸を中心とした回転方向への回動によって開放位置と遮断位置との間で移動可能である。
【０１１９】
図２の実施例（Ａ）において、遮断要素４４は、回転運動によって、開放位置４８と遮断位置５０との間で移動可能である。
【０１２０】
遮断要素４４は、開放位置４８と遮断位置５０との間で、回転軸５４の周りで回転方向５２に回動可能である。換言すれば、遮断要素４４は、開放位置４８から遮断位置５０まで、基体４２に対して、回転軸５４の周りで回転方向５２に回転できる。
【０１２１】
この目的のために、遮断要素４４は、例えば、基体４２に回転可能に載置される。特に、基体４２は、遮断要素４４のための回転軸として機能するピンもしくはロッドを備えることができる。
【０１２２】
原理的には、回転軸５４は、光パルスの光路２８の、０度と１８０度との間の角度を含む。
【０１２３】
好ましくは、回転軸５４は、光パルスの光路２８と平行であるか、またはこれと直角をなすように配置される。
【０１２４】
図２の実施例（Ａ）において、回転軸５４は、光パルスの光路２８に対して垂直に配置されている。
【０１２５】
本実施例における固定要素４６は、当該回転を固定するため、基体４２と回転方向５２の先の遮断位置５０にある遮断要素４４とを接続するように設計されている。
【０１２６】
図２の実施例（Ｂ）において、遮断要素４４は、開放位置４８と遮断位置５０との間の直線運動によって移動可能である。すなわち遮断要素４４は、開放位置４８と遮断位置５０との間で、直線的なスラスト方向５６において摺動可能である。この目的のために、基体４２は、遮断要素４４がスラスト方向５６に移動することができるように、例えば、レールを備えていてもよい。
【０１２７】
図３および図４は、安全領域１２に位置する機械または設備１４を保護する方法６０の実施例を示す。当該方法６０に係る、図１および図２のアクセス保護システム１０の機能を以下に説明する。
【０１２８】
方法６０のステップ６２において、センサ機器１６を設ける。
【０１２９】
方法６０のさらなるステップ６４において、光パルスが、光送信器２２から光受信器２４まで伝送される。
【０１３０】
方法６０のさらなるステップ６６において、センサ機器１６によって、受信器２４が光パルスを受信したことに基づいて、センサ信号が生成される。
【０１３１】
手順６０のさらなるステップ６８において、センサ信号は、制御器１８により評価される。
【０１３２】
方法６０のさらなるステップ７０において、制御器１８によって、センサ信号を考慮して、安全領域１２に位置する機械または設備１４が制御される。
【０１３３】
方法６０のさらなるステップ７２において、インターロッキング装置４０は、それに配置される基体４２および遮断要素４４を、装備している。
【０１３４】
方法６０のさらなるステップ７４において、遮断要素４４は、開放位置４８に配置される。そこにおいて遮断要素４４は、送信器２２と受信器２４との間で光パルスの光路２８の外に配置される。
【０１３５】
方法６０のさらなるステップ７６において、遮断要素４４は、開放位置４８から遮断位置５０まで移動する。そこにおいて遮断要素４４は、光パルスの受信を阻止するために、送信器２２と受信器２４との間で光パルスの光路２８に配置される。
【０１３６】
方法６０のさらなるステップ７８において、インターロッキング装置４０は、固定要素４６によって、遮断位置５０において固定（ロック）される。
【０１３７】
好ましくは、ロッキングのステップ７８で、ロック可能な固定要素４６は、遮断要素４４をその遮断位置５０に保持するために、インターロッキング装置４０の受容部に嵌入される。
【０１３８】
図５〜図１６は、アクセス保護システム１００の第２実施例を示す。
【０１３９】
アクセス保護システム１００は、基本的に、図１および図２のアクセス保護システム１０と同じ部品を備えている。同じ部品は、従って同じ参照符号により参照され、ここでは詳細に説明しない。
【０１４０】
図５および図７〜図１１は、遮断要素４４が開放位置４８に配置された開放状態のアクセス保護システム１００の諸図を示す。図６および図１２〜図１６は、遮断位置５０のアクセス保護システム１００の諸図を示す。
【０１４１】
アクセス保護システム１００は、１つ以上の送信器２２または１つ以上の受信器２４が配置される柱１０２を備えている。柱１０２は送信器２２または受信器２４用のハウジングをこのように形成する。また、柱１０２はアクセス２０一方の側に設置される。
【０１４２】
加えて、アクセス保護システム１００は、柱１０２および基体４２を強固に接続する結合要素１２２を備えている。このために、柱１０２は第１の溝１２４を有する。それは柱１０２が延びる方向において延びている。
【０１４３】
好ましくは、第１の溝の延長の方向は、光パルスの光路２８および回転軸５４と直角をなす。基体４２は、前記延長の方向と同じ方向に延びる第２の溝を有する。結合要素１２２も、前記延長の方向に延びて、基体４２および柱１０２を固く接続するために、第１の溝および２本目の溝に係合している。
【０１４４】
代わりに、または加えて、基体４２は、さらなる留め金具、例えば１つ以上のネジによって、柱１０２に接続されることもできる。
【０１４５】
図５〜図１６の実施例の遮断要素４４は、図２の実施例（Ａ）のように、それが回転軸５４に関して回転または回動できるように、基体４２に載置される。しかし図２の実施例（Ａ）とは対照的に、回転軸５４は、センサ機器１６の光パルスの光路２８と平行になる。
【０１４６】
アクセス保護システム１００は、基体４２対して遮断要素４４を手で回転させる操作要素１０４をさらに備える。
【０１４７】
アクチュエータによる遮断要素４４の回動も、原則的に考えられる。しかしながら、手で遮断要素４４を回転させることは、容易な操作を提供し、さらに別に設けなければならないアクチュエータのための経費を節約する。ここで示される操作要素１０４は、好ましくは回転軸５４と同軸かそれと平行に設置される。そしてその周りで、遮断要素４４は回転できる。
【０１４８】
遮断要素は、回転軸５４に沿って配置されたばね要素（図示せず）を介して、基体４２に連結できる。このばね要素は、基体４４の上面に対して遮断要素４４を押圧する弾性力を印加することができる。さらにスペーサを、安定のために追加してもよい。
【０１４９】
インターロッキング装置４０は、固定要素４６のための受容部を備えていてもよい。固定要素４６が受容部に嵌入されると、遮断要素４４はその遮断位置５０に保持される。
【０１５０】
本実施例の固定要素４６は、南京錠として設計される。固定要素は、シャックル１１０を有しており、それによって係止可能である。すなわち、シャックル１１０は、固定要素の基体に対して係止されることができる。
【０１５１】
遮断要素４４は、固定要素４６のための孔(hole)１０６を提供することもできる。孔１０６は、インターロッキング装置４０の受容部を形成する。操作者が遮断要素４４を遮断位置５０の方へ動かすとすぐに、彼は、追加的に、固定要素４６のシャックル１１０を孔１０６に嵌入できる。そうなると、遮断要素４４をその遮断位置５０から回転させることが、もはやできない。
【０１５２】
遮断要素４４を回転させるための試みが実行されると、固定要素４６はインターロッキング装置４８の基体４２と衝突する。その結果、ロックレバー５２はその遮断位置５０において阻止(block)される。
【０１５３】
さらにまた、基体４２は、遮断要素４４の遮断位置５０において、遮断要素４４の孔１０６に少なくとも部分的に合致する凹部(recess)１０８を有することができる。基体４２の凹部１０８は、孔として設計することもできる。
【０１５４】
インターロッキング装置４０を係止するために、固定要素４６のシャックル１１０は、孔１０６および凹部１０８を通過できる。その結果、回転軸５４のまわりの回転方向５２に遮断要素４４が基体４２に接続され、遮断要素４４が遮断位置５０に角度固定される。
【０１５５】
図５〜図１６の本実施例において、遮断要素４４は、係止可能な固定要素４６のための受容部として、２つの孔１０６を有する。２つの孔は、いくつかの（例えば２つの）南京錠を挿入することができるという効果がある。このようにして、各操作者は、彼個人の南京錠を２つの孔のうちの１つに挿入できる。
【０１５６】
したがって、基体４２は２つの凹部１０８を有することもできる。凹部１０８は、遮断要素４４の遮断位置５０において、遮断要素４４に設けられている孔１０６に、少なくとも部分的に合わせられる。これらの凹部１０８は、原則、孔として設計されることもできる。それらは、南京錠が嵌入されるときに、それは遮断要素４４がその遮断位置５０から回動するのを妨げるという、機械的な保護を提供する。
【０１５７】
好ましくは凹部１０８が正確に孔１０６に合わせられるので、南京錠が２つの開口部のうちの１つに嵌入されたときに、形状の一致(form fit)が、南京錠のシャックル１１０とそれぞれの孔１０６または凹部１０８との間に形成される。
【０１５８】
遮断要素４４は、好ましくは、開放位置４８および遮断位置５０の両方において、基体４２にラッチ係合されることができる。このために、基体４２はその上側に２つの凹部１１２、１２０を有する。当該上側において、遮断要素４４は、同じ高さに配置される。これにより、遮断要素４４と凹部１１２または１２０との間に、一種の形状の一致を形成する。
【０１５９】
第１の凹部１１２は、開放位置４８に割り当てられる。第２の凹部１２０は、遮断位置５０に割り当てられる。両方の凹部１１２、１２０は、２つのウェブによって、横に制限される。ウェブは、遮断要素４４が、開放位置４８において、または、遮断位置５０において、滑動(slip)もしくは回動するのを防止するための横壁として役立つ。
【０１６０】
基体４２は、第１のウェブ１１４および第２のウェブ１１６を有する。それらは第１の凹部１１２の横壁として役立つ。第２のウェブ１１６も、２つの突部(lug)１１８’、１１８”を有する。それらはウェブとして設計されて、第２の凹部１２０の横方向の壁として役立つ。好ましくは、第１および第２の凹部１１２、１２０は、互いに９０度の角度で配置される。
【０１６１】
開放位置４８から遮断位置５０まで、または、遮断位置５０から開放位置４８まで、遮断要素４４を、操作要素１０４を用いて回転させるために、遮断要素４４は、すなわち基体４２から離れて、回転軸５４に沿って、ウェブ１１４、１１６、１１８’、１１８”の上で、上方向に引かれなければならない。操作者は、ばね要素の弾性力に打ち勝たなければならない。そうすることで、遮断要素４４を、他の位置に回転させることができる。
【０１６２】
図１７は、アクセス保護システム１００’の第３の変形例を示す。示されるアクセス保護システム１００’は、遮断要素４４’が遮断位置５０に配置されたブロッキング状態にある。
【０１６３】
アクセス保護システム１００’は、図５〜図１６に示されたアクセス保護システム１００と、基本的に同じ部品を含む。同じ部品は、従って、同じ参照符号により示され、詳細には説明されない。
【０１６４】
アクセス保護システム１００’は、インターロッキング装置４０’の回転軸５４’が、センサ機器１６の光パルスの光路２８と平行でなくて、直角をなすという点で、アクセス保護システム１００と異なる。
【０１６５】
特に、回転軸５４’は、柱１０２が延びる方向と平行になる。その結果、遮断要素４４’は、開放位置４８と遮断位置５０との間で回転軸５４’の周りに回転するかまたは傾けられる。
【０１６６】
この目的のために、基体４２’は、回転軸５４’に沿って配置されたピンもしくはロッド１２８を有する。遮断要素４４’は、ピンもしくはロッド１２８を利用して、基体４２’に、回転可能に設置される。
【０１６７】
遮断要素４４’も２つの孔１０６’を有する。基体４２’は、遮断位置５０において孔１０６に合わせられる、対応する凹部１０８’を有する。凹部１０８’は、孔としても設計される。遮断位置５０において、固定要素４６は、遮断位置５０の遮断要素４４’をブロックするために、２つの孔１０６’および凹部１０８’を通過できる。
【図１】
2020129364.tif 000003
【図２】
2020129364.tif 000004
【図３】
2020129364.tif 000005
【図４】
2020129364.tif 000006
【図５】
2020129364.tif 000007
【図６】
2020129364.tif 000008
【図７】
2020129364.tif 000009
【図８】
2020129364.tif 000010
【図９】
2020129364.tif 000011
【図１０】
2020129364.tif 000012
【図１１】
2020129364.tif 000013
【図１２】
2020129364.tif 000014
【図１３】
2020129364.tif 000015
【図１４】
2020129364.tif 000016
【図１５】
2020129364.tif 000017
【図１６】
2020129364.tif 000018
【図１７】
2020129364.tif 000019
【外国語明細書】
2020129364.tif 000020
2020129364.tif 000021
2020129364.tif 000022
2020129364.tif 000023
2020129364.tif 000024
2020129364.tif 000025
2020129364.tif 000026
2020129364.tif 000027
2020129364.tif 000028
2020129364.tif 000029
2020129364.tif 000030
2020129364.tif 000031
2020129364.tif 000032
2020129364.tif 000033
2020129364.tif 000034
2020129364.tif 000035
2020129364.tif 000036
2020129364.tif 000037
2020129364.tif 000038
2020129364.tif 000039
2020129364.tif 000040
2020129364.tif 000041
2020129364.tif 000042
2020129364.tif 000043
2020129364.tif 000044
2020129364.tif 000045
2020129364.tif 000046
2020129364.tif 000047
2020129364.tif 000048
【図１】
2020129364.tif 000049
【図２】
2020129364.tif 000050
【図３】
2020129364.tif 000051
【図４】
2020129364.tif 000052
【図５】
2020129364.tif 000053
【図６】
2020129364.tif 000054
【図７】
2020129364.tif 000055
【図８】
2020129364.tif 000056
【図９】
2020129364.tif 000057
【図１０】
2020129364.tif 000058
【図１１】
2020129364.tif 000059
【図１２】
2020129364.tif 000060
【図１３】
2020129364.tif 000061
【図１４】
2020129364.tif 000062
【図１５】
2020129364.tif 000063
【図１６】
2020129364.tif 000064
【図１７】
2020129364.tif 000065